(57)【要約】【課題】携帯端末への汚れの付着および携帯端末の損傷を回避する。【解決手段】抵抗計本体２は、Ｐ極の接地抵抗値Ｒｐを測定し接地抵抗値Ｒｐを基準値Ｒｒ１と比較する処理を開始し、接地抵抗値Ｒｐが基準値Ｒｒ１を超えるとの比較結果のときには、この処理とＰ極の接地不良を示す第１報知音を携帯端末３のスピーカ２４から出力させる音出力処理とを繰り返す第１処理と、接地抵抗値Ｒｐが基準値Ｒｒ１以下となるとの比較結果のときには、第１処理を停止してＣ極の接地抵抗値Ｒｃを測定し接地抵抗値Ｒｃを基準値Ｒｒ２と比較する処理を開始し、接地抵抗値Ｒｃが基準値Ｒｒ２を超えるとの比較結果のときには、この処理とＣ極の接地不良を示す第２報知音をスピーカ２４から出力させる音出力処理とを繰り返す第２処理と、接地抵抗値Ｒｃが基準値Ｒｒ２以下となるとの比較結果のときには第２処理を停止してＥ極の接地抵抗値Ｒｅを測定する第３処理とを実行する。【選択図】図１
2015102375.tif 000002
【特許請求の範囲】
【請求項１】
被測定接地極、第１の補助接地極および第２の補助接地極をそれぞれ接続可能に構成されると共に、当該被測定接地極および当該第１の補助接地極を用いた２極測定法による当該第１の補助接地極の第１接地抵抗値を測定する第１測定処理、当該被測定接地極および当該第２の補助接地極を用いた２極測定法による当該第２の補助接地極の第２接地抵抗値を測定する第２測定処理、並びに当該被測定接地極、当該第１の補助接地極および当該第２の補助接地極を用いた３極測定法による当該被測定接地極の第３接地抵抗値を測定する第３測定処理を実行する測定部、第１通信部並びに第１処理部を有する抵抗計本体と、
前記第１通信部と無線通信可能な第２通信部、第２処理部並びに音出力部を有して、当該第２処理部が当該第２通信部を介して前記第１処理部から受信した指示内容に応じて、当該音出力部から音を出力させる音出力処理を実行する携帯端末とを備えた接地抵抗計であって、
前記第１処理部は、
測定開始指示を入力したことを条件として前記第１測定処理、および当該第１測定処理で測定された前記第１接地抵抗値を予め規定された第１基準値と比較する第１比較処理を開始すると共に、当該第１比較処理において当該第１接地抵抗値が当該第１基準値を超えるとの比較結果のときには、前記第１の補助接地極の接地不良を示す第１報知音を前記音出力部から出力させる前記音出力処理を前記第２処理部に実行させる前記指示内容を前記第１通信部を介して前記携帯端末に送信する第１送信処理を当該第１測定処理および当該第１比較処理と共に繰り返す第１処理と、
前記第１比較処理において前記第１接地抵抗値が前記第１基準値以下となるとの比較結果のときには、前記第１処理を停止し、かつ前記第２測定処理、および当該第２測定処理で測定された前記第２接地抵抗値を予め規定された第２基準値と比較する第２比較処理を開始すると共に、当該第２比較処理において当該第２接地抵抗値が当該第２基準値を超えるとの比較結果のときには、前記第２の補助接地極の接地不良を示す第２報知音を前記音出力部から出力させる前記音出力処理を前記第２処理部に実行させる前記指示内容を前記第１通信部を介して前記携帯端末に送信する第２送信処理を当該第２測定処理および当該第２比較処理と共に繰り返す第２処理と、
前記第２比較処理において前記第２接地抵抗値が前記第２基準値以下となるとの比較結果のときには前記第２処理を停止し、かつ前記第３測定処理を開始する第３処理とを実行する接地抵抗計。
【請求項２】
前記第１処理部は、
前記第１送信処理において、前記第１測定処理で測定された前記第１接地抵抗値を前記音出力部から音声で出力させる前記音出力処理を前記第２処理部に実行させる前記指示内容を前記第１通信部を介して前記携帯端末に送信し、
前記第２送信処理において、前記第２測定処理で測定された前記第２接地抵抗値を前記音出力部から音声で出力させる前記音出力処理を前記第２処理部に実行させる前記指示内容を前記第１通信部を介して前記携帯端末に送信する請求項１記載の接地抵抗計。
【請求項３】
前記第１処理部は、前記第１処理を停止したときに、前記第１の補助接地極の接地良好を示す第３報知音を前記音出力部から出力させる前記音出力処理を前記第２処理部に実行させる前記指示内容を前記第１通信部を介して前記携帯端末に送信し、前記第２処理を停止したときに、前記第２の補助接地極の接地良好を示す第４報知音を前記音出力部から出力させる前記音出力処理を前記第２処理部に実行させる前記指示内容を前記第１通信部を介して前記携帯端末に送信する請求項１または２記載の接地抵抗計。
【請求項４】
前記第１処理部は、前記第３処理において、前記第３測定処理で測定された前記第３接地抵抗値を前記音出力部から音声で出力させる前記音出力処理を前記第２処理部に実行させる前記指示内容を前記第１通信部を介して前記携帯端末に送信する第３送信処理を実行する請求項１から３のいずれかに記載の接地抵抗計。
【発明の詳細な説明】
【技術分野】
【０００１】
本発明は、被測定接地極、第１の補助接地極および第２の補助接地極の３つを介して被測定接地極の接地抵抗の抵抗値を測定可能に構成された接地抵抗計に関するものである。
【背景技術】
【０００２】
この種の接地抵抗計として、メインユニット（抵抗計本体）およびリモートユニット（携帯端末）を備え、アース電極Ｘ（被測定接地極）、補助電極Ｙ（第１の補助接地極）および補助電極Ｚ（第２の補助接地極）を介してアース電極Ｘの接地抵抗の抵抗値を測定可能に構成された試験用機器（接地抵抗測定装置）が下記の特許文献１に開示されている。この試験用機器を使用して接地抵抗の抵抗値を測定する際には、まず、試験対象のアース電極Ｘが接地されている大地に２つの補助電極Ｙ，Ｚをそれぞれ設置する。この際には、アース電極Ｘからある程度離れた位置に補助電極Ｚを設置すると共に、補助電極Ｚとアース電極Ｘとの間に補助電極Ｙを設置する。
【０００３】
次いで、アース電極Ｘおよび補助電極Ｙ，Ｚをメインユニットに接続した状態において、各電極Ｘ，Ｙ，Ｚを用いてアース電極Ｘの接地抵抗の抵抗値を測定する。この際には、一例として、補助電極Ｚを電流供給用の電極とし、かつ補助電極Ｙを電圧測定用の電極として用いた３点試験法（３極試験法）によってアース電極Ｘの接地抵抗を測定する。具体的には、リモートユニットが操作されて測定処理の開始が指示されたときに、メインユニットがアース電極Ｘおよび補助電極Ｚの間に試験用の電流を供給しつつ、アース電極Ｘおよび補助電極Ｙの間の電圧を測定し、供給した電流と測定された電圧とに基づいてアース電極Ｘの接地抵抗を演算する。これにより、測定された接地抵抗の抵抗値がリモートユニットの表示部に表示され、一連の測定処理が完了する。
【０００４】
また、この試験用機器のメインユニットは、単一の補助電極Ｙのみを使用した２極法測定により、アース電極の接地抵抗を測定することも可能に構成されている。このため、この試験用機器を使用するオペレータは、リモートユニットに表示される２極法測定による測定の結果に基づいて、補助電極Ｙにおける根本的原因の有無を直ちに探索することができる。これにより、オペレータは、リモートユニットに表示された測定の結果が特異な読み取り値のときには、補助電極Ｙに根本的原因があることから補助電極Ｙへの接続を調整し、その後に、リモートユニットを操作することで直ちに測定を再開することが可能になっている。
【先行技術文献】
【特許文献】
【０００５】
【特許文献１】特開２０１１−１２３０５９号公報（第８−１３頁、第１−６図）
【発明の概要】
【発明が解決しようとする課題】
【０００６】
ところで、本願出願人は、上記した試験用機器と同様にして、アース電極Ｘ、補助電極Ｙおよび補助電極Ｚに接続されてアース電極Ｘの接地抵抗の抵抗値を測定可能に構成された抵抗計本体（メインユニット）と、抵抗計本体に対する動作指示の送信処理、抵抗計本体からの測定結果の受信処理、および受信した測定結果の表示処理を実行する携帯端末（リモートユニット）とを備えている接地抵抗計を開発した。
【０００７】
また、この接地抵抗計は、補助電極Ｙおよび補助電極Ｚを地面に打ち込む都度、オペレータが携帯端末を操作して抵抗計本体に対して２極法測定の動作指示を送信することで、補助電極Ｙおよび補助電極Ｚの接地抵抗を測定する機能を備えている。なお、２極法測定でアース電極Ｘと補助電極Ｙとの間の抵抗を測定したときには、測定される抵抗は、アース電極Ｘの接地抵抗と補助電極Ｙの接地抵抗の合算値となる。同様にして、２極法測定でアース電極Ｘと補助電極Ｚとの間の抵抗を測定したときには、測定される抵抗は、アース電極Ｘの接地抵抗と補助電極Ｚの接地抵抗の合算値となる。ところで、アース電極Ｘは法律で規定された複数の規格のうちの適合する規格の接地抵抗以下になるように専門の業者によって接地されたものであり、その接地抵抗は規格にもよるが、最大でも５００Ω程度である。一方、測定のために一時的に接地される補助電極Ｙおよび補助電極Ｚの各接地抵抗は、接地状態に応じて変わるものの最小でも数ｋΩ程度である。
【０００８】
このため、この接地抵抗計では、補助電極Ｙおよび補助電極Ｚの各接地抵抗に対して１桁以上小さいアース電極Ｘの接地抵抗についての上記の最大値（既知）を仮のアース電極Ｘの接地抵抗として、２極法測定で測定されたアース電極Ｘと補助電極Ｙとの間の抵抗からこの仮のアース電極Ｘの接地抵抗を減算することで、補助電極Ｙの接地抵抗を算出し、また２極法測定で測定されたアース電極Ｘと補助電極Ｚとの間の抵抗からこの仮のアース電極Ｘの接地抵抗を減算することで、補助電極Ｚの接地抵抗を算出する。そして、この接地抵抗計では、算出した補助電極Ｙの接地抵抗および補助電極Ｚの接地抵抗を、補助電極Ｙおよび補助電極Ｚについて予め規定した基準値と比較して、補助電極Ｙの接地抵抗や補助電極Ｚの接地抵抗がそれぞれの基準値以下のときには、補助電極Ｙや補助電極Ｚの接地状態が良好である旨を携帯端末に表示させ、一方、基準値を超えるときには、補助電極Ｙや補助電極Ｚの接地状態が不良である旨を携帯端末に表示させるようにしている。
【０００９】
ところが、この本願出願人が開発した上記の接地抵抗計には、以下のような改善すべき課題が存在している。すなわち、この接地抵抗計を使用するオペレータは、補助電極Ｙや補助電極Ｚの接地状態が不良である旨が携帯端末に表示されたときには、補助電極Ｙや補助電極Ｚを地面から引き抜いて再度打ち込む作業を手作業で行い、その後に、携帯端末を手で操作して、抵抗計本体に補助電極Ｙや補助電極Ｚの接地抵抗の再測定を実行させる。しかしながら、この補助電極Ｙや補助電極Ｚを地面から引き抜いて再度打ち込む作業の際には、手が汚れる可能性が高い。したがって、この接地抵抗計には、補助電極Ｙや補助電極Ｚの引き抜きや打ち込み作業の際に汚れた手で携帯端末を操作する状況が発生して、携帯端末が汚れるという課題が存在している。また、この接地抵抗計には、補助電極Ｙや補助電極Ｚの打ち込み作業の後に携帯端末を操作して抵抗計本体に補助電極Ｙや補助電極Ｚの接地抵抗の再測定を実行させる必要があるため、この操作時に携帯端末を落としたりして損傷させる可能性があるという解決すべき課題が存在している。
【００１０】
本発明は、かかる課題に鑑みてなされたものであり、携帯端末への汚れの付着、および携帯端末の損傷を回避し得る接地抵抗計を提供することを主目的とする。
【課題を解決するための手段】
【００１１】
上記目的を達成すべく請求項１記載の接地抵抗計は、被測定接地極、第１の補助接地極および第２の補助接地極をそれぞれ接続可能に構成されると共に、当該被測定接地極および当該第１の補助接地極を用いた２極測定法による当該第１の補助接地極の第１接地抵抗値を測定する第１測定処理、当該被測定接地極および当該第２の補助接地極を用いた２極測定法による当該第２の補助接地極の第２接地抵抗値を測定する第２測定処理、並びに当該被測定接地極、当該第１の補助接地極および当該第２の補助接地極を用いた３極測定法による当該被測定接地極の第３接地抵抗値を測定する第３測定処理を実行する測定部、第１通信部並びに第１処理部を有する抵抗計本体と、前記第１通信部と無線通信可能な第２通信部、第２処理部並びに音出力部を有して、当該第２処理部が当該第２通信部を介して前記第１処理部から受信した指示内容に応じて、当該音出力部から音を出力させる音出力処理を実行する携帯端末とを備えた接地抵抗計であって、前記第１処理部は、測定開始指示を入力したことを条件として前記第１測定処理、および当該第１測定処理で測定された前記第１接地抵抗値を予め規定された第１基準値と比較する第１比較処理を開始すると共に、当該第１比較処理において当該第１接地抵抗値が当該第１基準値を超えるとの比較結果のときには、前記第１の補助接地極の接地不良を示す第１報知音を前記音出力部から出力させる前記音出力処理を前記第２処理部に実行させる前記指示内容を前記第１通信部を介して前記携帯端末に送信する第１送信処理を当該第１測定処理および当該第１比較処理と共に繰り返す第１処理と、前記第１比較処理において前記第１接地抵抗値が前記第１基準値以下となるとの比較結果のときには、前記第１処理を停止し、かつ前記第２測定処理、および当該第２測定処理で測定された前記第２接地抵抗値を予め規定された第２基準値と比較する第２比較処理を開始すると共に、当該第２比較処理において当該第２接地抵抗値が当該第２基準値を超えるとの比較結果のときには、前記第２の補助接地極の接地不良を示す第２報知音を前記音出力部から出力させる前記音出力処理を前記第２処理部に実行させる前記指示内容を前記第１通信部を介して前記携帯端末に送信する第２送信処理を当該第２測定処理および当該第２比較処理と共に繰り返す第２処理と、前記第２比較処理において前記第２接地抵抗値が前記第２基準値以下となるとの比較結果のときには前記第２処理を停止し、かつ前記第３測定処理を開始する第３処理とを実行する。
【００１２】
また、請求項２記載の接地抵抗計は、請求項１記載の接地抵抗計において、前記第１処理部は、前記第１送信処理において、前記第１測定処理で測定された前記第１接地抵抗値を前記音出力部から音声で出力させる前記音出力処理を前記第２処理部に実行させる前記指示内容を前記第１通信部を介して前記携帯端末に送信し、前記第２送信処理において、前記第２測定処理で測定された前記第２接地抵抗値を前記音出力部から音声で出力させる前記音出力処理を前記第２処理部に実行させる前記指示内容を前記第１通信部を介して前記携帯端末に送信する。
【００１３】
さらに、請求項３記載の接地抵抗計は、請求項１または２記載の接地抵抗計において、前記第１処理部は、前記第１処理を停止したときに、前記第１の補助接地極の接地良好を示す第３報知音を前記音出力部から出力させる前記音出力処理を前記第２処理部に実行させる前記指示内容を前記第１通信部を介して前記携帯端末に送信し、前記第２処理を停止したときに、前記第２の補助接地極の接地良好を示す第４報知音を前記音出力部から出力させる前記音出力処理を前記第２処理部に実行させる前記指示内容を前記第１通信部を介して前記携帯端末に送信する。
【００１４】
また、請求項４記載の接地抵抗計は、請求項１から３のいずれかに記載の接地抵抗計において、前記第１処理部は、前記第３処理において、前記第３測定処理で測定された前記第３接地抵抗値を前記音出力部から音声で出力させる前記音出力処理を前記第２処理部に実行させる前記指示内容を前記第１通信部を介して前記携帯端末に送信する第３送信処理を実行する。
【発明の効果】
【００１５】
請求項１記載の接地抵抗計では、抵抗計本体の第１処理部が第１の補助接地極および第２の補助接地極の接地状態を判別しつつ、その判別した接地状態を携帯端末に送信し、携帯端末の第２処理部が、この接地状態が不良のときには接地不良を示す第１報知音や第２報知音を音声出力部から音で出力する。
【００１６】
したがって、この接地抵抗計によれば、オペレータは、第１の補助接地極および第２の補助接地極の各接地作業において、第１の補助接地極および第２の補助接地極の接地不良を音で確認することができるため、携帯端末を手で操作することなく、第１の補助接地極および第２の補助接地極を接地し直す作業を実行することができる。このため、この接地抵抗計によれば、汚れた手で携帯端末を操作することによる携帯端末への汚れの付着、および携帯端末を落下させることなどによる携帯端末の損傷を回避することができる。
【００１７】
また、請求項２記載の接地抵抗計によれば、第１の補助接地極および第２の補助接地極の各接地作業において、抵抗計本体で測定された第１の補助接地極の第１接地抵抗値および第２の補助接地極の第２接地抵抗値が携帯端末から音声で出力されるため、オペレータは、携帯端末を手で操作することなく、第１接地抵抗値および第２接地抵抗値を確認することができる。
【００１８】
さらに、請求項３記載の接地抵抗計によれば、第１の補助接地極の接地状態が良好となったときにはその旨を示す第３報知音が携帯端末の音声出力部から出力され、第２の補助接地極の接地状態が良好となったときにはその旨を示す第４報知音が携帯端末の音声出力部から出力されるため、第１の補助接地極や第２の補助接地極を接地し直す作業の結果、第１の補助接地極や第２の補助接地極の接地状態が良好になったことを、携帯端末を操作することなく確実に確認することができる。
【００１９】
また、請求項４記載の接地抵抗計によれば、第１の補助接地極および第２の補助接地極の各接地作業が完了した状態において、抵抗計本体で測定された被測定接地極の第３接地抵抗値が携帯端末から音声で出力されるため、オペレータは、携帯端末を手で操作することなく、第３接地抵抗値を確認することができる。
【図面の簡単な説明】
【００２０】
【図１】接地抵抗計１の構成を示す構成図である。
【図２】接地抵抗測定処理４０のフローチャートである。
【発明を実施するための形態】
【００２１】
以下、接地抵抗計の実施の形態について、添付図面を参照して説明する。
【００２２】
最初に、接地抵抗計の一例としての図１に示す接地抵抗計１の構成について説明する。この接地抵抗計１は、抵抗計本体２および携帯端末３を備え、被測定接地極Ｅ（以下、単にＥ極ともいう）の接地抵抗値Ｒｅ（第３接地抵抗値）を、第１の補助接地極Ｐ（以下、単にＰ極ともいう）および第２の補助接地極Ｃ（以下、単にＣ極ともいう）を用いた３極測定法により測定可能に構成されている。
【００２３】
抵抗計本体２は、図１に示すように、測定部１１、第１操作部１２、第１通信部１３、第１記憶部１４、第１表示部１５および第１処理部１６を備えている。
【００２４】
測定部１１は、一例として、電線（測定ケーブル）を介してＥ極と接続されるＥ極接続端子１１ａ、電線（測定ケーブル）を介してＰ極と接続されるＰ極接続端子１１ｂ、電線（測定ケーブル）を介してＣ極と接続されるＣ極接続端子１１ｃ、不図示の電流源、不図示の電流計および不図示の電圧計を備えている。この測定部１１では、電流源が第１処理部１６からの指示内容に応じて作動して、Ｅ極接続端子１１ａとＰ極接続端子１１ｂとの間、およびＥ極接続端子１１ａとＣ極接続端子１１ｃとの間のうちのいずれかに測定用電流を供給する。また、電流計は、電流源から供給されている測定用電流を測定して、この測定用電流についての電流データＤｉ（電流値や電流波形を示すデータ）を第１処理部１６に出力する。
【００２５】
また、電圧計は、第１処理部１６からの指示内容に応じて作動して、Ｅ極接続端子１１ａとＰ極接続端子１１ｂとの間に測定用電流が供給されている状態においては、Ｅ極接続端子１１ａとＰ極接続端子１１ｂとの間に発生する端子間電圧を測定し、Ｅ極接続端子１１ａとＣ極接続端子１１ｃとの間に測定用電流が供給されている状態においては、Ｅ極接続端子１１ａとＣ極接続端子１１ｃとの間に発生する端子間電圧、およびＥ極接続端子１１ａとＰ極接続端子１１ｂとの間に発生する端子間電圧のうちのいずれかを測定して、測定した端子間電圧についての電圧データＤｖ（電圧値や電圧波形を示すデータ）を第１処理部１６に出力する。
【００２６】
第１操作部１２は、測定開始を指示する操作スイッチなどの各種操作スイッチを備え、スイッチ操作に応じた指示内容を示す操作信号を第１処理部１６に出力する。第１通信部１３は、携帯端末３の後述する第２通信部２２と無線でデータの送受信を行う機能を備えている。第１記憶部１４は、ＲＯＭやＲＡＭなどの半導体メモリやＨＤＤ（ハードディスク装置）などで構成されている。この第１記憶部１４には、第１処理部１６のための動作プログラムが予め記憶されている。また、第１記憶部１４には、例えばＥ極の接地抵抗値Ｒｅについての規格上での最大値が仮の接地抵抗値Ｒｔｅｍとして予め記憶され、また後述する接地抵抗値Ｒｐについての基準値（第１基準値）Ｒｒ１、および後述する接地抵抗値Ｒｃについての基準値（第２基準値）Ｒｒ２が予め記憶されている。また、第１記憶部１４は、第１処理部１６のワークメモリとしても機能する。第１表示部１５は、例えばＬＣＤ（Liquid Crystal Display）などで構成されている。
【００２７】
第１処理部１６は、コンピュータで構成されて、測定開始指示を入力したことを条件として、図２に示す接地抵抗測定処理４０を実行して、Ｐ極の接地抵抗値Ｒｐ（第１接地抵抗値）、Ｃ極の接地抵抗値Ｒｃ（第２接地抵抗値）および接地抵抗値Ｒｅを測定する。本例では、測定開始指示の入力とは、抵抗計本体２の第１操作部１２から測定開始を指示する指示内容の操作信号を入力したこと、および携帯端末３の第２操作部２１から測定開始を指示する指示内容の操作信号を入力した後述の第２処理部２６が第２通信部２２を介して抵抗計本体２の第１通信部１３に送信した測定開始を指示するデータを第１通信部１３から入力したことのいずれかをいうものとする。また、第１処理部１６は、接地抵抗測定処理４０において測定部１１に対する制御処理を実行して、上記した測定用電流および端子間電圧を測定させる。また、第１処理部１６は、表示処理を実行して、測定した接地抵抗値Ｒｅ，Ｒｐ，Ｒｃなどを第１表示部１５に表示させる。
【００２８】
携帯端末３は、図１に示すように、第２操作部２１、第２通信部２２、第２記憶部２３、音出力部２４、第２表示部２５および第２処理部２６を備え、携帯可能（衣服のポケットに入れたり、ストラップをつけて首から提げたりするなど手で持たない状態での携帯が可能）に構成されている。また、携帯端末３は、不図示の電池を備え、第２操作部２１、第２通信部２２、第２記憶部２３、音出力部２４、第２表示部２５および第２処理部２６は、この電池から供給される電力に基づいて作動する。
【００２９】
第２操作部２１は、一例として第２表示部２５の画面に配設されたタッチパネル式の操作スイッチで構成されて、例えば、測定開始を指示する操作信号を第２処理部１６に出力する。第２通信部２２は、抵抗計本体２の第１通信部１３と無線でデータの送受信を行う機能を備えている。
【００３０】
第２記憶部２３は、例えばＲＯＭやＲＡＭなどの半導体メモリで構成されて、第２処理部２６のための動作プログラム、および音データ（本例では一例として、音声ガイダンス用の種々の音声データ）が予め記憶されている。また、第２記憶部２３は、第２処理部２６のワークメモリとしても機能する。音出力部２４は、本例では一例としてスピーカで構成されて（以下、スピーカ２４ともいう）、第２処理部２６から出力される音信号（本例では一例として音声信号）を入力して、音信号の周波数に応じた音（本例では音声）を音信号のレベルに応じた音量で出力する。第２表示部２５は、例えばＬＣＤ（Liquid Crystal Display）などで構成されて、抵抗計本体２で測定された接地抵抗値Ｒｅ，Ｒｐ，Ｒｃなどを表示する。
【００３１】
第２処理部２６は、コンピュータで構成されて、第２操作部２１から出力される測定開始を指示する指示内容の操作信号を入力したときに、測定開始指示を示すデータを第２通信部２２を介して抵抗計本体２に送信する送信処理、抵抗計本体２から送信されたデータを第２通信部２２を介して受信する受信処理、抵抗計本体２から受信したデータで示される接地抵抗値Ｒｅ，Ｒｐ，Ｒｃを第２表示部２５に表示させる表示処理、および抵抗計本体２から受信したデータで示される指示内容に応じてスピーカ２４から音（本例では音声ガイダンス）を発生させる音出力処理を実行する。
【００３２】
次に、接地抵抗計１を使用して被測定接地極Ｅ（Ｅ極）の接地抵抗値Ｒｅを測定する際のオペレータの手順と共に、接地抵抗計１の動作について説明する。
【００３３】
まず、オペレータは、携帯端末３を携帯し、次いで、抵抗計本体２の第１操作部１２を操作することにより、測定開始を指示する指示内容の操作信号を第１処理部１６に出力する。なお、本例では一例として、携帯端末３の第２操作部２１も測定開始を指示する操作信号を出力する機能を有している。このため、オペレータは、この第２操作部２１を操作してもよい。この場合、第２処理部２６は、オペレータによって操作された第２操作部２１から測定開始を指示する操作信号を入力して、送信処理を実行することにより、測定開始指示を示すデータを第２通信部２２を介して抵抗計本体２に送信する。抵抗計本体２では、第１通信部１３が、第２通信部２２からこの測定開始を指示するデータを受信して、第１処理部１６に出力する。なお、この状態では、オペレータは、Ｐ極やＣ極の接地作業を行っていないため、手が汚れていない。したがって、オペレータが携帯端末３に対する操作を実行したとしても、携帯端末３が汚れることはない。
【００３４】
第１処理部１６は、このようにして測定開始指示を入力したときには、この測定開始指示の入力を条件として、図２に示す接地抵抗測定処理４０を実行する。この接地抵抗測定処理４０では、第１処理部１６は、まず、Ｐ極の接地抵抗値Ｒｐを測定する第１処理を実行する。
【００３５】
この第１処理では、第１処理部１６は、まず、第１音出力処理を実行することにより、オペレータに対して、携帯端末３のスピーカ２４から、測定部１１のＥ極接続端子１１ａを電線を介してＥ極に接続し、かつ測定部１１のＰ極接続端子１１ｂを電線を介してＰ極に接続する旨を報知する（ステップ４１）。
【００３６】
具体的には、第１処理部１６は、Ｅ極およびＰ極に測定部１１を接続させる作業を指示する指示内容のデータを第１通信部１３を介して携帯端末３に送信する。携帯端末３では、第２通信部２２が、第１通信部１３からこの指示内容のデータを受信して第２処理部２６に出力する。第２処理部２６は、この指示内容のデータを入力したときには、音出力処理を実行する。この音出力処理では、第２処理部２６は、このデータが示す指示内容に対応した音声データを第２記憶部２３から読み出すと共に音声信号に変換し、この音声信号をスピーカ２４に出力することにより、測定部１１のＥ極接続端子１１ａを電線を介してＥ極に接続し、測定部１１のＰ極接続端子１１ｂを電線を介してＰ極に接続する旨の音声ガイダンス（例えば、「Ｅ極およびＰ極を接続して下さい」との音声ガイダンス）をスピーカ２４から出力させる。
【００３７】
オペレータは、この音声ガイダンスに従い、まず、測定部１１のＥ極接続端子１１ａ、Ｐ極接続端子１１ｂおよびＣ極接続端子１１ｃに接続されている３本の電線のうちのＥ極接続端子１１ａに接続されている電線をＥ極に接続する。次いで、オペレータは、残りの２本の電線および２本の接地棒を持って、例えばＥ極から１０ｍ程度離れた位置まで移動し、この位置の地面にＰ極となる接地棒を接地すると共にＰ極接続端子１１ｂに接続されている電線をＰ極となる接地棒に接続する。
【００３８】
第１処理部１６は、第１音出力処理に続いて、Ｐ極の接地抵抗値Ｒｐを測定する測定処理（第１測定処理）を実行する（ステップ４２）。この測定処理では、第１処理部１６は、測定部１１に対して、Ｅ極接続端子１１ａとＰ極接続端子１１ｂとの間に測定用電流を供給させると共に、Ｅ極接続端子１１ａとＰ極接続端子１１ｂとの間に発生する端子間電圧を測定させる。これにより、測定部１１は、Ｅ極接続端子１１ａとＰ極接続端子１１ｂとの間への測定用電流の供給を開始すると共に、測定用電流についての電流データＤｉの第１処理部１６への出力を開始する。また、測定部１１は、Ｅ極接続端子１１ａとＰ極接続端子１１ｂとの間に発生する端子間電圧の測定を開始すると共に、測定した端子間電圧についての電圧データＤｖの第１処理部１６への出力を開始する。
【００３９】
第１処理部１６は、入力した電流データＤｉおよび電圧データＤｖに基づいて、２極法測定により、Ｅ極接続端子１１ａとＰ極接続端子１１ｂとの間の抵抗（Ｅ極およびＰ極間の抵抗と同等）を算出する。このようにして算出される抵抗は、Ｅ極の接地抵抗値ＲｅとＰ極の接地抵抗値Ｒｐの合算値となるため、第１処理部１６は、２極法測定によって算出した抵抗から第１記憶部１４に記憶されている接地抵抗値Ｒｅについての仮の接地抵抗値Ｒｔｅｍを減算することにより、Ｐ極の接地抵抗値Ｒｐを算出（測定）する第１測定処理を実行する。また、第１処理部１６は、算出した接地抵抗値Ｒｐを第１記憶部１４に記憶させると共に、表示処理を実行して第１表示部１５に表示させる。
【００４０】
次いで、第１処理部１６は、算出した接地抵抗値Ｒｐと第１記憶部１４に記憶されている基準値Ｒｒ１とを比較する比較処理（第１比較処理）を実行して、この接地抵抗値Ｒｐが基準値Ｒｒ１以下であるか否かを判別する（ステップ４３）。第１処理部１６は、この判別の結果、この接地抵抗値Ｒｐが基準値Ｒｒ１を超えるときには、Ｐ極の接地状態が不良であることから、第２音出力処理を実行して、携帯端末３のスピーカ２４からＰ極を接地し直す旨を報知し（ステップ４４）、ステップ４２に移行する。
【００４１】
具体的には、第１処理部１６は、Ｐ極を接地し直す作業を指示する指示内容のデータを第１通信部１３を介して携帯端末３に送信する送信処理（第１送信処理）を実行する。また、第１処理部１６は、この送信処理において、接地抵抗値Ｒｐを示すデータおよびＰ極の接地状態を示すデータについても、これらのデータを出力させる指示内容のデータと共に、上記のＰ極を接地し直す作業を指示する指示内容のデータと併せて第１通信部１３を介して携帯端末３に送信する。
【００４２】
携帯端末３では、第２通信部２２が、第１通信部１３から上記した各データを受信して第２処理部２６に出力する。第２処理部２６は、この指示内容のデータを入力したときには、音出力処理を実行する。この音出力処理では、第２処理部２６は、このデータが示す指示内容に対応した音声データを第２記憶部２３から読み出すと共に音声信号に変換し、この音声信号をスピーカ２４に出力することにより、Ｐ極を接地し直す旨の音声ガイダンス（例えば、「Ｐ極を接地し直して下さい」との音声ガイダンス）を第１報知音としてスピーカ２４から出力させる。
【００４３】
また、第２処理部２６は、接地抵抗値Ｒｐを示すデータおよびＰ極の接地状態を示すデータと共にこれらのデータを出力させる指示内容のデータを入力したときには、これらのデータを第２記憶部２３に記憶させると共に、音出力処理および表示処理を実行する。この音出力処理では、第２処理部２６は、接地抵抗値Ｒｐを音声でスピーカ２４から出力させる（例えば、「Ｐ極の接地抵抗値は何々オームです」と出力させる）と共に、接地状態についても音声でスピーカ２４から出力させる（接地状態が不良のため、例えば、他の第１報知音として「Ｐ極の接地状態は不良です」または単に「ＮＧです」との音声ガイダンスを出力させる）。
【００４４】
また、表示処理では、第２処理部２６は、接地抵抗値ＲｐおよびＰ極の接地状態を第２表示部２５に表示させる。例えば、第２処理部２６は、接地抵抗値Ｒｐを示す数値を第２表示部２５に表示させると共に、Ｐ極の接地状態が不良のときには「ＮＧ」の文字、接地状態が良好のときには「ＯＫ」の文字を第２表示部２５に表示させる。
【００４５】
第１処理部１６は、上記のステップ４２，４３，４４を例えば一定の周期で繰り返し実行する。このため、オペレータによるＥ極およびＰ極の測定部１１への接続作業、並びにＰ極の接地作業が正常に完了するまでは、携帯している携帯端末３から「Ｐ極を接地し直して下さい」との音声ガイダンスが繰り返し出力される。また、接地抵抗値ＲｐおよびＰ極の接地状態（接地不良）についても携帯端末３から繰り返し音声で出力される。その後、オペレータによる上記の接続作業およびＰ極の接地作業が正常に完了したときには、接地抵抗値Ｒｐが基準値Ｒｒ１以下となるため、第１処理部１６は、ステップ４３において、接地抵抗値Ｒｐが基準値Ｒｒ１以下となっていること（Ｐ極の接地状態が良好であること）を判別して、第１処理を終了して、Ｃ極の接地抵抗値Ｒｃを測定する第２処理を実行する。
【００４６】
この第２処理では、第１処理部１６は、まず、第３音出力処理を実行することにより、オペレータに対して、携帯端末３のスピーカ２４から、測定部１１のＣ極接続端子１１ｃを電線を介してＣ極に接続する旨を報知する（ステップ４５）。具体的には、第１処理部１６は、Ｃ極に測定部１１を接続させる作業を指示する指示内容のデータを第１通信部１３を介して携帯端末３に送信する。携帯端末３では、第２通信部２２が、第１通信部１３からこの指示内容のデータを受信して第２処理部２６に出力する。第２処理部２６は、この指示内容のデータを入力したときには、音出力処理を実行する。この音出力処理では、第２処理部２６は、このデータが示す指示内容に対応した音声データを第２記憶部２３から読み出すと共に音声信号に変換し、この音声信号をスピーカ２４に出力することにより、測定部１１のＣ極接続端子１１ｃを電線を介してＣ極に接続する旨の音声ガイダンス（例えば、「Ｃ極を接続して下さい」との音声ガイダンス）をスピーカ２４から出力させる。
【００４７】
オペレータは、この音声ガイダンスに従い、まず、残りの電線（測定部１１のＣ極接続端子１１ｃに接続されている電線）および残りの１本の接地棒を持って、Ｅ極とＰ極とを結ぶ直線上の位置であってＰ極から１０ｍ程度離れた位置（Ｅ極から２０ｍ程度離れた位置）まで移動し、この位置の地面にＣ極となる接地棒を接地すると共にＣ極接続端子１１ｃに接続されている電線をＣ極となる接地棒に接続する。
【００４８】
第１処理部１６は、第３音出力処理に続いて、Ｃ極の接地抵抗値Ｒｃを測定する測定処理（第２測定処理）を実行する（ステップ４６）。この測定処理では、第１処理部１６は、測定部１１に対して、Ｅ極接続端子１１ａとＣ極接続端子１１ｃとの間に測定用電流を供給させると共に、Ｅ極接続端子１１ａとＣ極接続端子１１ｃとの間に発生する端子間電圧を測定させる。これにより、測定部１１は、Ｅ極接続端子１１ａとＣ極接続端子１１ｃとの間への測定用電流の供給を開始すると共に、測定用電流についての電流データＤｉの第１処理部１６への出力を開始する。また、測定部１１は、Ｅ極接続端子１１ａとＣ極接続端子１１ｃとの間に発生する端子間電圧の測定を開始すると共に、測定した端子間電圧についての電圧データＤｖの第１処理部１６への出力を開始する。
【００４９】
第１処理部１６は、入力した電流データＤｉおよび電圧データＤｖに基づいて、２極法測定により、Ｅ極接続端子１１ａとＰ極接続端子１１ｂとの間の抵抗（Ｅ極およびＣ極間の抵抗と同等）を算出する。このようにして算出される抵抗は、Ｅ極の接地抵抗値ＲｅとＣ極の接地抵抗値Ｒｃの合算値となるため、第１処理部１６は、２極法測定によって算出した抵抗から第１記憶部１４に記憶されている接地抵抗値Ｒｅについての仮の接地抵抗値Ｒｔｅｍを減算することにより、Ｃ極の接地抵抗値Ｒｃを算出（測定）する第２測定処理を実行する。また、第１処理部１６は、算出した接地抵抗値Ｒｃを第１記憶部１４に記憶させると共に、表示処理を実行して第１表示部１５に表示させる。
【００５０】
次いで、第１処理部１６は、算出した接地抵抗値Ｒｃと第１記憶部１４に記憶されている基準値Ｒｒ２とを比較する比較処理（第２比較処理）を実行して、この接地抵抗値Ｒｃが基準値Ｒｒ２以下であるか否かを判別する（ステップ４７）。第１処理部１６は、この判別の結果、この接地抵抗値Ｒｃが基準値Ｒｒ２を超えるときには、Ｃ極の接地状態が不良であることから、第４音出力処理を実行して、携帯端末３のスピーカ２４からＣ極を接地し直す旨を報知し（ステップ４８）、ステップ４６に移行する。
【００５１】
具体的には、第１処理部１６は、Ｃ極を接地し直す作業を指示する指示内容のデータを第１通信部１３を介して携帯端末３に送信する送信処理（第２送信処理）を実行する。また、第１処理部１６は、この送信処理において、接地抵抗値Ｒｃを示すデータおよびＣ極の接地状態を示すデータについても、これらのデータを出力させる指示内容のデータと共に、上記のＣ極を接地し直す作業を指示する指示内容のデータと併せて第１通信部１３を介して携帯端末３に送信する。
【００５２】
携帯端末３では、第２通信部２２が、第１通信部１３から上記した各データを受信して第２処理部２６に出力する。第２処理部２６は、この指示内容のデータを入力したときには、音出力処理を実行する。この音出力処理では、第２処理部２６は、このデータが示す指示内容に対応した音声データを第２記憶部２３から読み出すと共に音声信号に変換し、この音声信号をスピーカ２４に出力することにより、Ｃ極を接地し直す旨の音声ガイダンス（例えば、「Ｃ極を接地し直して下さい」との音声ガイダンス）を第２報知音としてスピーカ２４から出力させる。
【００５３】
また、第２処理部２６は、接地抵抗値Ｒｃを示すデータおよびＣ極の接地状態を示すデータと共にこれらのデータを出力させる指示内容のデータを入力したときには、これらのデータを第２記憶部２３に記憶させると共に、音出力処理および表示処理を実行する。この音出力処理では、第２処理部２６は、接地抵抗値Ｒｃを音声でスピーカ２４から出力させる（例えば、「Ｃ極の接地抵抗値は何々オームです」と出力させる）と共に、接地状態についても音声でスピーカ２４から出力させる（接地状態が不良のため、例えば、他の第２報知音として「Ｃ極の接地状態は不良です」または単に「ＮＧです」との音声ガイダンスを出力させる）。
【００５４】
また、表示処理では、第２処理部２６は、接地抵抗値ＲｃおよびＣ極の接地状態を第２表示部２５に表示させる。例えば、第２処理部２６は、接地抵抗値Ｒｃを示す数値を第２表示部２５に表示させると共に、Ｃ極の接地状態が不良のときには「ＮＧ」の文字、接地状態が良好のときには「ＯＫ」の文字を第２表示部２５に表示させる。
【００５５】
第１処理部１６は、上記のステップ４６，４７，４８を例えば一定の周期で繰り返し実行する。このため、オペレータによるＣ極の測定部１１への接続作業、およびＣ極の接地作業が正常に完了するまでは、携帯している携帯端末３から「Ｃ極を接地し直して下さい」との音声ガイダンスが繰り返し出力される。また、接地抵抗値ＲｃおよびＣ極の接地状態（接地不良）についても携帯端末３から繰り返し音声で出力される。その後、オペレータによるＣ極の接続作業および接地作業が正常に完了したときには、接地抵抗値Ｒｃが基準値Ｒｒ２以下となるため、第１処理部１６は、ステップ４７において、接地抵抗値Ｒｃが基準値Ｒｒ２以下となっていること（Ｃ極の接地状態が良好であること）を判別して、第２処理を終了して、Ｅ極の接地抵抗値Ｒｅを測定する第３処理を実行する。
【００５６】
この第３処理では、第１処理部１６は、まず、第５音出力処理を実行することにより、オペレータに対して、Ｅ極の接地抵抗値Ｒｅの測定を開始する旨を携帯端末３のスピーカ２４から報知する（ステップ４９）。
【００５７】
具体的には、第１処理部１６は、Ｅ極の接地抵抗値Ｒｅの測定を開始する旨のデータを第１通信部１３を介して携帯端末３に送信する送信処理を実行する。携帯端末３では、第２通信部２２が、第１通信部１３からこの内容のデータを受信して第２処理部２６に出力する。第２処理部２６は、この内容のデータを入力したときには、音出力処理を実行する。この音出力処理では、第２処理部２６は、このデータが示す内容に対応した音声データを第２記憶部２３から読み出すと共に音声信号に変換し、この音声信号をスピーカ２４に出力することにより、Ｅ極の接地抵抗値Ｒｅの測定を開始する旨の音声ガイダンス（例えば、「Ｅ極の抵抗測定を開始します」との音声ガイダンス）をスピーカ２４から出力させる。
【００５８】
第１処理部１６は、第５音出力処理に続いて、Ｅ極の接地抵抗値Ｒｅを測定する測定処理（第３測定処理）を実行する（ステップ５０）。この測定処理では、第１処理部１６は、測定部１１に対して、Ｅ極接続端子１１ａとＣ極接続端子１１ｃとの間に測定用電流を供給させると共に、Ｅ極接続端子１１ａとＰ極接続端子１１ｂとの間に発生する端子間電圧を測定させる。これにより、測定部１１は、Ｅ極接続端子１１ａとＣ極接続端子１１ｃとの間への測定用電流の供給を開始すると共に、測定用電流についての電流データＤｉの第１処理部１６への出力を開始する。また、測定部１１は、Ｅ極接続端子１１ａとＰ極接続端子１１ｂとの間に発生する端子間電圧の測定を開始すると共に、測定した端子間電圧についての電圧データＤｖの第１処理部１６への出力を開始する。
【００５９】
第１処理部１６は、入力した電流データＤｉおよび電圧データＤｖに基づいて、３極測定法により、Ｅ極接続端子１１ａとＰ極接続端子１１ｂとの間の抵抗（Ｅ極およびＰ極間の抵抗と同等）を算出する第３測定処理を実行する。３極測定法では、Ｅ極接続端子１１ａとＣ極接続端子１１ｃとの間に供給されている測定用電流はＰ極の接地抵抗には流れないため、電圧データＤｖは測定用電流が流れることによってＥ極の接地抵抗に発生する電圧を表している。これにより、第１処理部１６が第３測定処理において電流データＤｉおよび電圧データＤｖに基づいて算出する抵抗は、Ｅ極の真の接地抵抗値Ｒｅとなる。また、第１処理部１６は、算出した接地抵抗値Ｒｅを第１記憶部１４に記憶させると共に、表示処理を実行して第１表示部１５に表示させる。
【００６０】
次いで、第１処理部１６は、第６音出力処理を実行して、測定したＥ極の接地抵抗値Ｒｅを携帯端末３のスピーカ２４から報知する（ステップ５１）。
【００６１】
具体的には、第１処理部１６は、Ｅ極の接地抵抗値Ｒｅを示すデータと共に接地抵抗値Ｒｅの報知を指示する指示内容のデータを第１通信部１３を介して携帯端末３に送信する送信処理（第３送信処理）を実行する。携帯端末３では、第２通信部２２が、第１通信部１３からこの指示内容のデータと接地抵抗値Ｒｅを示すデータとを受信して第２処理部２６に出力する。
【００６２】
第２処理部２６は、この指示内容のデータを入力したときには、接地抵抗値Ｒｅを示すデータを第２記憶部２３に記憶させると共に、音出力処理を実行して、この指示内容のデータが示す指示内容に対応した音声データを第２記憶部２３から読み出すと共に接地抵抗値Ｒｅを示す音声データを組み合わせて音声信号に変換し、この音声信号をスピーカ２４に出力することにより、接地抵抗値Ｒｅを報知する音声ガイダンス（例えば、「Ｅ極の接地抵抗は何々オームです」との音声ガイダンス）をスピーカ２４から出力させる。また、これにより、接地抵抗測定処理４０が完了するため、第１処理部１６は、接地抵抗測定処理４０が完了した旨を示す音声データを第２記憶部２３から読み出すと共に音声信号に変換し、この音声信号をスピーカ２４に出力して、接地抵抗測定処理４０が完了した旨を報知する音声ガイダンス（例えば、「測定が終了しました」）をスピーカ２４から出力させる。
【００６３】
その後、オペレータは、Ｃ極となっていた接地棒およびＰ極となっていた接地棒を抜きながら、Ｅ極まで移動し、Ｅ極に接続した電線をＥ極から外す。これにより、Ｅ極の接地抵抗値Ｒｅの測定作業が完了する。
【００６４】
このように、この接地抵抗計１では、抵抗計本体２の第１処理部１６が、接地抵抗測定処理４０を実行している状態において、Ｐ極およびＣ極の接地状態を判別しつつ、その判別した接地状態を携帯端末３に送信し、携帯端末３の第２処理部２６がこの接地状態が不良のときには接地不良を示す報知音（「Ｐ極を接続して下さい」および「Ｐ極の接地状態は不良です」の第１報知音や、「Ｃ極を接続して下さい」および「Ｃ極の接地状態は不良です」の第２報知音）をスピーカ２４から出力する。したがって、この接地抵抗計１によれば、オペレータは、Ｐ極およびＣ極の各接地作業において、Ｐ極およびＣ極の接地不良を音声ガイダンスで確認することができるため、携帯端末３を手で操作することなく、Ｐ極およびＣ極を接地し直す作業を実行することができる。このため、この接地抵抗計１によれば、汚れた手で携帯端末３を操作することによる携帯端末３への汚れの付着、および携帯端末３を落下させることなどによる携帯端末３の損傷を回避することができる。
【００６５】
また、この接地抵抗計１によれば、Ｐ極およびＣ極の各接地作業において、抵抗計本体２で測定されたＰ極の接地抵抗値ＲｐおよびＣ極の接地抵抗値Ｒｃが携帯端末３から音声で出力されるため、オペレータは、携帯端末３を手で操作することなく、Ｐ極の接地抵抗値ＲｐおよびＣ極の接地抵抗値Ｒｃを確認することができる。
【００６６】
また、この接地抵抗計１によれば、Ｐ極およびＣ極の各接地作業が完了した状態において、抵抗計本体２で測定されたＥ極の接地抵抗値Ｒｅが携帯端末３から音声で出力されるため、オペレータは、携帯端末３を手で操作することなく、Ｅ極の接地抵抗値Ｒｅを確認することができる。
【００６７】
また、この接地抵抗計１によれば、抵抗計本体２で判別されたＰ極およびＣ極の接地状態、並びに、抵抗計本体２で測定された接地抵抗値Ｒｐ、接地抵抗値Ｒｃおよび接地抵抗値Ｒｅが携帯端末３の第２表示部２５に表示されるため、オペレータは、手が汚れていない状態のときには、携帯端末３を手で持ってこれらを目で確認することができる。
【００６８】
なお、上記の接地抵抗計１では、抵抗計本体２で判別されたＰ極およびＣ極の接地状態、並びに、抵抗計本体２で測定された接地抵抗値Ｒｐ、接地抵抗値Ｒｃおよび接地抵抗値Ｒｅを携帯端末３の第２表示部２５に表示させる構成を採用しているが、これらは携帯端末３から出力される音声（音声ガイダンス）でも確認することができるため、第２表示部２５に表示させない構成を採用することもできる。また、この構成を採用したときには、携帯端末３から第２表示部２５を省くこともできる。
【００６９】
また、上記の接地抵抗計１では、携帯端末３から接地抵抗値Ｒｅを音声で出力させる構成を採用しているが、オペレータは、接地抵抗測定処理４０の完了後は、Ｃ極およびＰ極を地面から抜きながら抵抗計本体２の位置に戻るため、抵抗計本体２の第１表示部１５に表示されている接地抵抗値Ｒｅを目で確認することができることから、携帯端末３から接地抵抗値Ｒｅを音声で出力する構成を省略することもできる。
【００７０】
また、上記の接地抵抗計１では、第１処理部１６は、ステップ４３において、接地抵抗値Ｒｐが基準値Ｒｒ１以下となっていること（Ｐ極の接地状態が良好であること）を判別したときには、直ちに第１処理を終了する構成を採用しているが、第１処理部１６が、第１処理を終了させる前に、Ｐ極の接地状態（この場合には接地良好）を示すデータを、このデータを出力させる指示内容のデータと共に第１通信部１３を介して携帯端末３に送信する送信処理を実行する構成を採用することもできる。同様にして、ステップ４７において、接地抵抗値Ｒｃが基準値Ｒｒ２以下となっていること（Ｃ極の接地状態が良好であること）を判別したときにも、第１処理部１６が、第２処理を終了させる前に、Ｃ極の接地状態（この場合には接地良好）を示すデータを、このデータを出力させる指示内容のデータと共に第１通信部１３を介して携帯端末３に送信する送信処理を実行する構成を採用することもできる。
【００７１】
この構成によれば、携帯端末３の第２処理部２６が、Ｐ極やＣ極の接地状態が良好であることを示すデータと共にこのデータを出力させる指示内容のデータを入力して音出力処理を実行することにより、Ｐ極の接地状態が良好となったときには第３報知音（例えば、「Ｐ極の接地状態は良好です」または単に「ＯＫです」との音声ガイダンス）をスピーカ２４から出力させ、またＣ極の接地状態が良好となったときには第４報知音（例えば、「Ｃ極の接地状態は良好です」または単に「ＯＫです」との音声ガイダンス）をスピーカ２４から出力させることができる。したがって、この構成を採用した接地抵抗計１によれば、Ｐ極やＣ極を接地し直す作業の結果、Ｐ極やＣ極の接地状態が良好になったことを、携帯端末３を操作することなく確実に確認することができる。
【００７２】
また、上記の接地抵抗計１では、Ｐ極およびＣ極の接地作業において、Ｐ極の接地状態およびＣ極の接地状態については、「Ｐ極を接地し直してください」および「Ｃ極を接地し直してください」のようにスピーカ２４から音声で出力する好ましい構成を採用しているが、このような音声による出力に代えて、接地状態が良好であるか、不良であるかを認識し得る音声以外の音（例えば、良好のときには「ピンポン」、不良のときには「ブブー」のような音）を出力する構成を採用することもできる。
【符号の説明】
【００７３】
１  接地抵抗計
２  抵抗計本体
３  携帯端末
１１  測定部
１３  第１通信部
１６  第１処理部
２２  第２通信部
２４  音出力部（スピーカ）
２６  第２処理部
４０  接地抵抗測定処理
Ｃ  第２の補助接地極
Ｅ  被測定接地極
Ｐ  第１の補助接地極
【図１】
2015102375.tif 000003
【図２】
2015102375.tif 000004